(57)【要約】【課題】据付板の係止部に熱交換器の背面側に設けられた係止片を係止すると共に、据付板の補助係止部に上部パネルの後端部に設けられた補助係止片を係止して壁掛設置するようにした空気調和機を提供する。【解決手段】本体Ａを構成するベースの前部に、吸込口を備えた上部パネル１と、吹出口を備えた下部パネル３とを装着し、前記吸込口と前記吹出口とを結ぶ空気通路を形成する前記ベースに、熱交換器５と送風ファンとを設け、前記熱交換器５の背面側の両側上部に、前記空気通路の一部を形成する連結部材７により連結された一対の係止片８を設けると共に、前記上部パネル１の後端部中央に、垂直リブからなる補助係止片９を連続形成し、前記係止片８および前記補助係止片９を、壁面に固着された据付板Ｂに形成され、係止部１０および補助係止部１１を備えた断面Ｌ字状のフック１２に夫々係止させるようにした。【選択図】　図２
2004084975.tif 000002
【特許請求の範囲】
【請求項１】
本体を構成するベースの前部に、吸込口を備えた上部パネルと、吹出口を備えた下部パネルとを装着し、前記吸込口と前記吹出口とを結ぶ空気通路を形成する前記ベースに、熱交換器と送風ファンとを設け、前記熱交換器の背面側の両側上部に、連結部材により連結された一対の係止片を設けると共に、前記上部パネルの後端部中央に、垂直リブからなる補助係止片を連続形成し、前記係止片および前記補助係止片を、壁面に固着された据付板の係止部および補助係止部に夫々係止させるようにしてなることを特徴とする空気調和機。
【請求項２】
前記係止部および前記補助係止部が、前記据付板の上部に連続形成された左右に延びる断面Ｌ字状のフックからなることを特徴とする請求項１に記載の空気調和機。
【請求項３】
前記補助係止片に対応する前記フックの上端部に、凹状の切欠部を形成してなることを特徴とする請求項２に記載の空気調和機。
【請求項４】
前記係止片および前記補助係止片は、それらの先端部が同じ高さになるように形成されてなることを特徴とする請求項１または請求項３に記載の空気調和機。
【請求項５】
前記係止片および、または前記補助係止片に、先端部側を後方に傾斜させた補強リブを連続形成してなることを特徴とする請求項４に記載の空気調和機。
【請求項６】
前記補強リブが複数設けられてなることを特徴とする請求項５に記載の空気調和機。
【発明の詳細な説明】
【０００１】
【発明の属する技術分野】
本発明は、空気調和機に係わり、より詳細には、据付板の係止部に熱交換器の背面側に設けられた係止片を係止すると共に、据付板の補助係止部に上部パネルの後端部に設けられた補助係止片を係止して壁掛設置するようにした構造に関する。
【０００２】
【従来の技術】
従来の空気調和機には、例えば特開平８−２００７９８号公報により開示されているように、据付板１４の左右に設けられた係止部１６に係止させる一対の係止片１５を室内熱交換器６の側板１２に一体に設け、ケーシング９の背面上部を切欠するように形成することにより、前記ケーシング９に使用される合成樹脂の量を減らすことができるようにした事例があった。
【０００３】
上記構成により、前記一対の係止片１５に、前記室内熱交換器６の剛性を利用した強度をもたせることができるという効果を見込めると共に、前記ケーシング９に使用される合成樹脂の量を減少させて、同ケーシング９の軽量化およびコストの低減をはかれるという効果を奏するようになっていた。
【０００４】
しかしながら、例えば、前記据付板１４が壁面の歪の影響をうけて前記係止部１６が変形したり位置ずれしたような場合、前記係止部１６に対し前記係止片１５を容易に、且つ正確に係止できにくいという問題を有していた。
【０００５】
また、特開平８−２００７９８号公報の図２で示すように、前記係止部１６が前記据付板１４の両側部に切り起しによって形成される構成になっていることから、例えば据付板の上端部を単にＬ字状に折曲して係止部を形成する場合に比して金型構造が複雑化するため、コスト的に不利になってしまうという問題点を有していた。
【０００６】
【発明が解決しようとする課題】
本発明は、上記問題点に鑑み、据付板の係止部に熱交換器の背面側に設けられた係止片を係止すると共に、据付板の補助係止部に上部パネルの後端部に設けられた補助係止片を係止して壁掛設置するようにした空気調和機を提供することを目的とする。
【０００７】
【課題を解決するための手段】
本発明は、上記課題を解決するため、本体を構成するベースの前部に、吸込口を備えた上部パネルと、吹出口を備えた下部パネルとを装着し、前記吸込口と前記吹出口とを結ぶ空気通路を形成する前記ベースに、熱交換器と送風ファンとを設け、前記熱交換器の背面側の両側上部に、連結部材により連結された一対の係止片を設けると共に、前記上部パネルの後端部中央に、垂直リブからなる補助係止片を連続形成し、前記係止片および前記補助係止片を、壁面に固着された据付板の係止部および補助係止部に夫々係止させるようにした構成となっている。
【０００８】
また、前記係止部および前記補助係止部が、前記据付板の上部に連続形成された左右に延びる断面Ｌ字状のフックからなる構成となっている。
【０００９】
また、前記補助係止片に対応する前記フックの上端部に、凹状の切欠部を形成した構成となっている。
【００１０】
また、前記係止片および前記補助係止片は、それらの先端部が同じ高さになるように形成された構成となっている。
【００１１】
また、前記係止片および、または前記補助係止片に、先端部側を後方に傾斜させた補強リブを連続形成した構成となっている。
【００１２】
更に、前記補強リブが複数設けられた構成となっている。
【００１３】
【発明の実施の形態】
以下、本発明の実施の形態を図面に基づいた実施例として詳細に説明する。
図１は本発明による空気調和機の説明図で、（Ａ）は熱交換器の背面側の両側上部に設けた係止片を据付板の係止部に係止した状態を、（Ｂ）は上部パネルの後端部中央に設けた補助係止片を据付板の補助係止部に係止した状態を夫々示す断面図であり、図２は壁面に固着された据付板および空気調和機本体の関係を示す説明図で、（Ａ）は据付板の斜視図、（Ｂ）は空気調和機本体の透過斜視図であり、図３は据付板の実施例を示す説明図で、（Ａ）は一実施例を示す斜視図、（Ｂ）は他の実施例を示す斜視図である。
【００１４】
本発明による空気調和機は、図で示すように、前部を開放した本体Ａの後部をなすベースａと、同ベースａの前部に装着され、前記本体Ａの上部をなす上部パネル１および下部をなす下部パネル３とで構成されている。
【００１５】
前記上部パネル１には室内空気を吸い込む吸込口２が設けられ、前記下部パネル３には被空気調和室に熱交換された調和空気を吹き出す吹出口４が設けられている。
【００１６】
前記吸込口２と、前記吹出口４とを結ぶ空気通路には、逆Ｖ字状に形成された熱交換器５と、前記吸込口２から室内空気を吸い込み、前記熱交換器５で熱交換された調和空気を前記吹出口４に送出するための送風ファン６とが設けられている。
【００１７】
前記熱交換器５の背面側の両側上部には、図１（Ａ）および図２（Ｂ）で示すように、前記空気通路の一部を形成する連結部材７により連結された一対の係止片８が設けられている。
【００１８】
また、前記上部パネル１の後端部中央には、図１（Ｂ）および図２（Ｂ）で示すように、垂直リブからなる補助係止片９が連続形成されている。
【００１９】
一方、被空気調和室の壁面に固着された前記据付板Ｂには、図１（Ａ）および図１（Ｂ）と、図２（Ａ）とで示すように、前記係止片８を係脱可能に係止する係止部１０と、前記補助係止片９を係脱可能に係止する補助係止部１１とが夫々設けられている。
【００２０】
前記係止部１０および前記補助係止部１１は、前記据付板Ｂの上部に連続形成された左右に延びる断面Ｌ字状のフック１２からなる構成となっており、これによって、上記に説明した従来技術のように金型構造を複雑化させることなく、前記据付板Ｂをコスト的に有利な構造で形成できるようになる。
【００２１】
以上の構成により、次にその動作について説明する。
先ず、図２（Ａ）で示す前記据付板Ｂを、被空気調和室の壁面にねじ止めするなどにより固着する。
【００２２】
次に、図２（Ｂ）で示す空気調和機本体Ａを、前記据付板Ｂによって壁掛け設置する際、前記係止片８を前記係止部１０に係脱可能に係止すると共に、前記補助係止片９を前記補助係止部１１に係脱可能に係止する。
【００２３】
これにより、前記係止部１０および前記補助係止部１１を備えて断面Ｌ字状に形成された前記フック１２に対し、図１（Ａ）および図１（Ｂ）で示すように、前記係止片８および前記補助係止片９を夫々同時に係止して、空気調和機本体Ａを、安定させた状態で着脱可能に壁掛け設置できるようになる。
【００２４】
前記フック１２は、一実施例として図３（Ａ）で示すように、前記係止部１０および前記補助係止部１１を横一線状にして断面Ｌ字状に形成されているので、前記据付板Ｂに強度をもたせることができると同時に、同据付板Ｂの金型構造を複雑化させることがない。
【００２５】
または、他の実施例として図３（Ｂ）で示すように、前記フック１２の上端部に前記補助係止片１１に対応する凹状の切欠部１２ａ　を形成することにより、前記係止部１０に前記係止片８を係脱可能に係止する際、前記補助係止部１１に対し前記補助係止片９を係脱可能に係止しやすくなって作業性がよくなる。
【００２６】
なお、前記係止片８および前記補助係止片９は、それらの先端部が同じ高さになるように形成されているので、前記係止部１０および前記補助係止部１１に近接または当接させた状態で正確に係止できる。
【００２７】
また、前記係止片８および前記補助係止片９に、図１（Ａ）および図１（Ｂ）で示すように、先端部側を後方に傾斜させた複数の補強リブ１３を連続形成しているので、同補強リブ１３が、これら係止片８および補助係止片９の強度を増強させると共に、前記係止部１０および前記補助係止部１１に対するガイドの機能を有した構造になる。
【００２８】
なお、前記補強リブ１３に対向する前記フック１２は、同補強リブ１３と略平行状態に形成することにより、該個所を円滑に係止できるようになると共に、安定した係止状態となる。
【００２９】
【発明の効果】
以上説明したように、本発明によると、据付板の係止部に熱交換器の背面側に設けられた係止片を係止すると共に、据付板の補助係止部に上部パネルの後端部に設けられた補助係止片を係止して壁掛設置するようにした空気調和機となる。
【図面の簡単な説明】
【図１】本発明による空気調和機の説明図で、（Ａ）は熱交換器の背面側の両側上部に設けた係止片を据付板の係止部に係止した状態を示す断面図であり、（Ｂ）は上部パネルの後端部中央に設けた補助係止片を据付板の補助係止部に係止した状態を示す断面図である。
【図２】壁面に固着された据付板および空気調和機本体の関係を示す説明図で、（Ａ）は据付板の斜視図であり、（Ｂ）は空気調和機本体の透過斜視図である。
【図３】据付板の実施例を示す説明図で、（Ａ）は一実施例を示す斜視図であり、（Ｂ）は他の実施例を示す斜視図である。
【符号の説明】
Ａ　空気調和機本体
Ｂ　据付板
１　上部パネル
２　吸込口
３　下部パネル
４　吹出口
５　熱交換器
６　送風ファン
７　連結部材
８　係止片
９　補助係止片
１０　係止部
１１　補助係止部
１２　フック
１２ａ　切欠部
１３　補強リブ
【図１】
2004084975.tif 000003
【図２】
2004084975.tif 000004
【図３】
2004084975.tif 000005